(57)【要約】【課題】酸化触媒の排気に微量に生成される酸成分を中和処理し、錆びにくく、低価格の生ごみ処理機を提供することを目的とする。【解決手段】厨芥を収納する生ごみ収納部２２と、前記厨芥を加熱する加熱手段２４と、前記生ごみ収納部２２内の空気を前記生ごみ収納部２２より排出する排出手段３４と、前記生ごみ収納部２２より排出された排気を脱臭する脱臭手段３０と、前記排気を中和処理する中和処理手段４６とを備えた生ごみ処理機で、酸化触媒の排気に微量に生成される酸成分を中和処理し、錆びにくく、低価格の生ごみ処理機を提供できる。【選択図】  図１
2005007263.tif 000002
【特許請求の範囲】
【請求項１】
厨芥を収納する生ごみ収納部と、前記厨芥を加熱する加熱手段と、前記生ごみ収納部内の空気を前記生ごみ収納部より排出する排出手段と、前記生ごみ収納部より排出された排気を脱臭する脱臭手段と、前記排気を中和処理する中和処理手段とを備えた生ごみ処理機。
【請求項２】
脱臭手段は、加熱され臭気を脱臭する酸化触媒と、前記酸化触媒を加熱する酸化触媒加熱手段とから構成される請求項１記載の生ごみ処理機。
【請求項３】
中和処理手段を、酸化触媒より排気下流側に設けた請求項２記載の生ごみ処理機。
【請求項４】
中和処理手段を容器内に挿入し、前記容器および前記中和処理手段を、酸化触媒の外周に設けた請求項２記載の生ごみ処理機。
【請求項５】
中和処理手段を、酸化触媒の外周に設けた請求項２記載の生ごみ処理機。
【請求項６】
中和処理手段を、脱臭手段と排出手段とを連通する排気経路に設けた請求項１記載の生ごみ処理機。
【請求項７】
排気経路を、中和剤または中和剤を混入した材料で形成した請求項６記載の生ごみ処理機。
【請求項８】
排気経路内に、中和剤または中和剤を混入した材料で形成した部材を配設した請求項６記載の生ごみ処理機。
【請求項９】
中和剤または中和剤を混入した材料で形成した部材が、通気性を有する請求項８記載の生ごみ処理機。
【請求項１０】
排出手段は排気ファンを有し、前記排気ファンを中和剤または中和剤を混入した材料で形成した請求項１記載の生ごみ処理機。
【請求項１１】
排出手段は排気ファンと前記排気ファンを覆うファンケースとから構成され、前記ファンケースを中和剤または中和剤を混入した材料で形成した請求項１記載の生ごみ処理機。
【請求項１２】
排出手段は排気ファンと前記排気ファンを覆うファンケースとから構成され、前記ファンケースの前記ファンに対向する部分に、中和剤または中和剤を混入した材料で形成した部材を配設した請求項１記載の生ごみ処理機。
【請求項１３】
排出手段は排気ファンを有し、前記ファンに対向する部分に、中和剤または中和剤を混入した材料で形成した部材を配設した請求項１記載の生ごみ処理機。
【請求項１４】
排出手段の排気下流側に、中和剤または中和剤を混入した材料で形成した部材を配設した請求項１記載の生ごみ処理機。
【発明の詳細な説明】
【０００１】
【発明の属する技術分野】
本発明は台所等で出る生ごみを処理する生ごみ処理機に関するものである。
【０００２】
【従来の技術】
従来、この種の生ごみ処理機としては、図１０に記載されているようなものがあった。図１０において、１は生ごみ処理機本体、２は生ごみを収納する生ごみ収納部で、底面に生ごみを撹拌する撹拌羽根３を備えている。この生ごみ収納部２の上部に生ごみを加熱するヒータからなる加熱手段４が配してある。加熱手段４は加熱用ヒ−タ５及び、加熱ファン６から構成され、熱風を生ごみに当てて生ごみの表面を加熱乾燥する。なお、加熱ファン６は加熱モータ７により回転駆動される。
【０００３】
また、生ごみ収納部２の上方に吸気口８が設けられており、この吸気口８は生ごみ収納部２を介して連結通路９を通じて脱臭手段１０に接続されている。脱臭手段１０は加熱されて臭気を脱臭する酸化触媒１１と、酸化触媒１１を加熱する酸化触媒加熱ヒータ１２で構成し、酸化触媒１１を介して臭気を脱臭し、排出口１３より外部に排出する排気手段１４（排気ファン１５、排気モータ１６、冷却ファン１７）から構成されている。生ごみ処理機本体１内には制御回路１８、撹拌羽根３を駆動する駆動装置１９を設けてある。
【０００４】
上記従来の生ごみ処理機において、生ごみ処理機本体１を運転させると、加熱手段４による生ごみの加熱と、脱臭手段１０の加熱手段である酸化触媒加熱ヒータ１２が作動し酸化触媒１１が加熱され、排出手段１４も作動し、吸気口８から外気が吸引され、生ごみ収納部２内の臭気を含む空気を脱臭手段１０で脱臭し、排出口１３より大気に空気が排出される（例えば、特許文献１参照）。
【０００５】
【特許文献１】
特開２００２−３１５８１５号公報
【０００６】
【発明が解決しようとする課題】
しかしながら上記従来の生ごみ処理機は、脱臭手段に酸化触媒を使用しており、排気中に微量の酸成分が生成され、機器の腐食に対する配慮が必要でコスト高になってしまう。
【０００７】
本発明は上記課題を解決するもので、酸化触媒の排気に微量に生成される酸成分を中和処理し、錆びにくく、低価格の生ごみ処理機を提供することを目的とする。
【０００８】
【課題を解決するための手段】
上記の目的を達成するために本発明は、厨芥を収納する生ごみ収納部と、前記厨芥を加熱する加熱手段と、前記生ごみ収納部内の空気を前記生ごみ収納部より排出する排出手段と、前記生ごみ収納部より排出された排気を脱臭する脱臭手段と、前記排気を中和処理する中和処理手段とを備えたもので、機器の腐食の生じにくく低価格の生ごみ処理機を提供できる。
【０００９】
【発明の実施の形態】
本発明の請求項１記載の発明によれば、厨芥を収納する生ごみ収納部と、前記厨芥を加熱する加熱手段と、前記生ごみ収納部内の空気を前記生ごみ収納部より排出する排出手段と、前記生ごみ収納部より排出された排気を脱臭する脱臭手段と、前記排気を中和処理する中和処理手段とを備えたもので、機器の腐食の生じにくく低価格の生ごみ処理機を提供できる。また、微量の酸成分の場合には、炭酸カルシウムなどのアルカリ成分のものをそのまま、もしくは、微粉にして混入するなどして機器の使用条件にあわせて使用するようにする。
【００１０】
本発明の請求項２記載の発明によれば、脱臭手段は、加熱され臭気を脱臭する酸化触媒と、前記酸化触媒を加熱する酸化触媒加熱手段とから構成されるもので、脱臭手段に酸化触媒を使用しており、排気中に微量の酸成分が生成されるので、中和処理手段を備えたときの効果が大きい。
【００１１】
本発明の請求項３記載の発明によれば、中和処理手段を、酸化触媒より排気下流側に設けたもので、部品構成が簡素化された低価格の生ごみ処理機を提供できる。
【００１２】
本発明の請求項４記載の発明によれば、中和処理手段を容器内に挿入し、前記容器および前記中和処理手段を、酸化触媒の外周に設けたもので、荒い粒状の炭酸カルシウムなどの中和処理手段を酸化触媒の外周に別容器に入れて、この内部を空気を通過させるように形成したので、脱臭手段の断熱材を兼ねることができ低価格の生ごみ処理機を提供できる。
【００１３】
本発明の請求項５記載の発明によれば、中和処理手段を、酸化触媒の外周に設けたもので、荒い粒状の炭酸カルシウムなどの中和処理手段を酸化触媒の外周に容器に入れて設けたので、断熱材を兼ねると共に部品構成を簡素化し、低価格の生ごみ処理機を提供できる。
【００１４】
本発明の請求項６記載の発明によれば、中和処理手段を、脱臭手段と排出手段とを連通する排気経路に設けたもので、機器の腐食の生じにくく低価格の生ごみ処理機を提供できる。
【００１５】
本発明の請求項７記載の発明によれば、排気経路を、中和剤または中和剤を混入した材料で形成したもので、排気経路を形成する材質自体を中和剤または中和剤を混合した材料で形成したので、低価格の生ごみ処理機を提供できる。形成の方法としては、ゴムの中に混入して、表面に析出した部分に空気が触れて反応させるようにする。
【００１６】
本発明の請求項８記載の発明によれば、排気経路内に、中和剤または中和剤を混入した材料で形成した部材を配設したもので、処理量が多い場合などの使用条件の厳しいところで使用されて中和処理手段が劣化した場合も、部材の交換だけで性能復帰ができる。
【００１７】
本発明の請求項９記載の発明によれば、中和剤または中和剤を混入した材料で形成した部材が、通気性を有するもので、排気経路内にフィルター状の中和剤または中和剤を混合した材料より形成したフィルター設けたので、空気成分と接触効率の高い生ごみ処理機を提供できる。フィルターの構成として、排気温度の高い場合は、ステンレス網などに添着させるなどや、低温度の場合は、ポリプロピレンのフィルターに添着させて構成する。
【００１８】
本発明の請求項１０記載の発明によれば、排出手段は排気ファンを有し、前記排気ファンを中和剤または中和剤を混入した材料で形成したもので、低価格の生ごみ処理機を提供できる。
【００１９】
本発明の請求項１１記載の発明によれば、排出手段は排気ファンと前記排気ファンを覆うファンケースとから構成され、前記ファンケースを中和剤または中和剤を混入した材料で形成したもので、低価格の生ごみ処理機を提供できる。
【００２０】
本発明の請求項１２記載の発明によれば、排出手段は排気ファンと前記排気ファンを覆うファンケースとから構成され、前記ファンケースの前記ファンに対向する部分に、中和剤または中和剤を混入した材料で形成した部材を配設したもので、表面積を大きくすることができ、接触効率の高い生ごみ処理機を提供できる。
【００２１】
本発明の請求項１３記載の発明によれば、排出手段は排気ファンを有し、前記ファンに対向する部分に、中和剤または中和剤を混入した材料で形成した部材をもので、脱臭手段から排出された後で温度も低くなり中和剤の熱劣化が少ない。
【００２２】
本発明の請求項１４記載の発明によれば、排出手段の排気下流側に、中和剤または中和剤を混入した材料で形成した部材を配設したもので、排気温度は、前記請求項１３の条件よりさらに低温になり、中和剤の熱劣化のさらに少ない生ごみ処理機が提供できる。
【００２３】
【実施例】
（実施例１）
以下、本発明の第１の実施例について図１、図９をもとに説明する。図１・図９において、２１は生ごみ処理機本体、２２は生ごみを収納する生ごみ収納部で、底面に生ごみを撹拌する撹拌手段である撹拌羽根２３を備えている。この生ごみ収納部２２の上部に、生ごみを加熱するヒータである加熱手段２４が配してある。加熱手段２４は加熱用ヒ−タ２５及び、加熱ファン２６から構成され、熱風を生ごみに当てて生ごみの表面を加熱乾燥する。なお加熱ファン２６は加熱モータ２７により回転駆動される。
【００２４】
また、生ごみ収納部２２の上方に吸気口２８が設けられており、この吸気口２８は生ごみ収納部２２を介して連結経路２９を通じて脱臭手段３０に接続されている。脱臭手段３０は加熱されて臭気を脱臭する酸化触媒３１と、酸化触媒３１を加熱する酸化触媒加熱ヒータ３２で構成し、酸化触媒３１を介して臭気を脱臭し、排出口３３より生ごみ収納部２２内の空気を外部に排出する排気手段３４（ターボファン３５、排気モータ３６）から構成されている。脱臭手段３０と排気手段３４は、排気経路３７を介して接続されている。生ごみ処理機本体２１内には制御回路３８、撹拌羽根２３を駆動する駆動装置３９を設けてある。
【００２５】
４０は生ごみ収納部２２、連結経路２９、脱臭手段３０、排気経路３７を介して連通しているファンガイドで、ターボファン３５とファンガイド４０を近接させることによって、ターボファン３５の吸引圧と吸引風量を発生させる。ターボファン３５をシュラウド４１付で構成し、シュラウド４１の表面には本体を冷却するためのシロッコファン４２を形成している。また、ターボファン３５とシロッコファン４２の吸気側の方向が同じになるので、ファンガイド４０のターボファン３５の吸気部を略への字型で形成し、シロッコファン４２の吸気部とを仕切っている。また、シロッコファン４２の吸気と排気を分離するファンケース４３をシロッコファン４２前方に設けている。
【００２６】
ターボファン３５で吸引された脱臭手段３０からの空気は、シロッコファン４２による冷却風と混合して、ウライタ４４に取り付けられた排出口３３より排気される。ウライタ４４は防錆性の強いカラー鋼板製で、生ごみ処理機本体１後部に装着され、排気手段３４を覆っている。排出口３３は樹脂製の排出部材４５に下向きに設けられている。
【００２７】
４６は中和処理手段で、排出手段３４の排気下流側に設けられ、ポリプロピレンのフィルターに炭酸カルシウムを添着したものが配置されている。
【００２８】
上記構成において動作を説明すると、加熱ヒータ２５で加熱された空気が加熱ファン２６によって生ごみ収納部２２内に送り出され、生ごみを加熱乾燥する。加熱された生ごみより発生した蒸気は、排出手段３４であるターボファン３５によって吸引されることにより、連結経路２９を介して脱臭手段３０に至る。同時に吸気口２８より外気が生ごみ収納部２２内に流入する。そして脱臭手段３０の加熱手段である酸化触媒加熱ヒータ３２が作動し酸化触媒３１が加熱され、生ごみ収納部２２内の臭気を含む空気は脱臭手段３０で脱臭された後、冷却用のシロッコファン４２によって室温程度の温度まで冷却されて排出口３３より外部に排出される。同時に生ごみは、回転する撹拌刃２３により、撹拌・粉砕されながら加熱され、加熱終了後は、減量・細分化される。
【００２９】
このとき、排気空気成分に微量に含まれる酸成分は、中和処理手段４６により表面に添着された炭酸カルシウムと反応して中和され、機器が腐食するのを防止できる。よって腐食しにくく低価格の生ごみ処理機を構成することができる。
【００３０】
（実施例２）
以下、本発明の第２の実施例について図２をもとに説明する。なお、上記実施例と同一部品には同一符号を付し、その説明は省略する。
【００３１】
図２において、脱臭手段３０の酸化触媒３１の排気下流側直後に、板状の炭酸カルシウムからなる中和処理手段４６を成形して取り付け、発生後すぐに反応させるようにしている。
【００３２】
（実施例３）
以下、本発明の第３の実施例について図３をもとに説明する。なお、上記実施例と同一部品には同一符号を付し、その説明は省略する。
【００３３】
図３において、脱臭手段３０の酸化触媒３１の外周に二重の別容器４７を配置し、この中に中和処理手段４６である荒い粒状の炭酸カルシウムなどを配置し、排気空気を別容器４７の内側部に設けた開口４７ａを通じて、この中を通過させるように構成している。このため、この別容器４７および中和処理手段４６が断熱材の効果を発揮する。
【００３４】
（実施例４）
以下、本発明の第４の実施例について図４をもとに説明するなお、上記実施例と同一部品には同一符号を付し、その説明は省略する。
【００３５】
図４において、脱臭手段３０の酸化触媒３１の外周に、中和処理手段４６である荒い粒状の炭酸カルシウムなどを配置し、その外周を容器４７にて覆い構成する。そして、排気空気をこの中を通過させた後、排気するように構成している。このため、この中和処理手段４６が断熱材の効果を発揮する。
【００３６】
（実施例５）
以下、本発明の第５の実施例について図５をもとに説明する。上記実施例と同一部品には同一符号を付し、その説明は省略する。
【００３７】
図５において、排気経路３７内に中和処理手段４６を配置する。略円筒状に成形した炭酸カルシウムなどの中和剤からなる中和処理手段４６を設置するもので、排気空気をこの中を通過させた後、排気するように構成している。
【００３８】
また、排気通路３７自体をフッ素ゴムなどの耐熱性の高い材料で形成し、この材料に炭酸カルシウムなどの中和剤を混入して成形するなどの方法も考えられる。
【００３９】
（実施例６）
以下、本発明の第６の実施例について図６をもとに説明する。上記実施例と同一部品には同一符号を付し、その説明は省略する。
【００４０】
図６において、排気経路３７に中和処理手段４６を配置する他の実施例である。排気通路３７をフッ素ゴムなどの耐熱性の高い材料で構成し、この中にステンレスなどの腐食しにくい金属などのフィルターに炭酸カルシウムなどを添着した中和処理手段４６を設置するもので、前記中和処理手段４６は、通気性を有するため、排気空気を前記中和処理手段４６を通過させた後、排気するように構成している。
【００４１】
（実施例７）
以下、本発明の第７の実施例について図７をもとに説明する。上記実施例と同一部品には同一符号を付し、その説明は省略する。
【００４２】
図７において、排気ファン３５やファンケース４３の材料に炭酸カルシウムなどの中和剤を混入して形成することができる。また上記以外の方法として、ファンケース４３の排気ファン３５に対向する部分に、中和処理手段４６を配置する実施例で、ファンケース４３に炭酸カルシウムなどの中和剤を添着し、前記中和処理手段４６に排気空気を接触させて中和処理した後、排気するように構成している。
【００４３】
（実施例８）
以下、実施例本発明の第８の実施例について図８をもとに説明する。上記実施例と同一部品には同一符号を付し、その説明は省略する。
【００４４】
図８において、ファンケース４３に対向し、排気が当たる部位に中和処理手段４６を配置するもので、排気が当たる部位に炭酸カルシウムなどの中和剤を添着し、前記中和処理手段４６に排気空気を接触させて中和処理した後、排気するように構成している。
【００４５】
（実施例９）
以下、実施例本発明の第９の実施例について図９をもとに説明する。上記実施例と同一部品には同一符号を付し、その説明は省略する。
【００４６】
図９において、排気手段３４の排気下流側に中和処理手段４６を配置するもので、ポリプロピレンなどのフィルターに炭酸カルシウムなどの中和剤を添着した中和処理手段４６を設置したもので、前記中和処理手段４６は通気性を有するため、排気空気を通過させて中和処理した後、排気するように構成している。この方法は接触効率を高くできる。
【００４７】
【発明の効果】
本発明によれば、酸化触媒の排気に微量に生成される酸成分を中和処理し、錆びにくく、低価格の生ごみ処理機を提供できる。
【図面の簡単な説明】
【図１】本発明の第１の実施例の生ごみ処理機断面図
【図２】本発明の第２の実施例の脱臭手段の排気側に中和処理手段を設けた要部断面図
【図３】本発明の第３の実施例の脱臭手段の外周に別容器で中和処理手段を設けた要部断面図
【図４】本発明の第４の実施例の脱臭手段の外周に一体に中和処理手段を設けた要部断面図
【図５】本発明の第５の実施例の中和処理手段を排気経路内に配置した要部断面図
【図６】本発明の第６の実施例のフィルター状の中和処理手段を排気経路内に配置した要部断面図
【図７】本発明の第７の実施例のファンケース内側に中和処理手段を配置した要部断面図
【図８】本発明の第８の実施例のファンケース内側に中和処理手段を配置した要部断面図
【図９】本発明の第９の実施例の排出手段の排気下流側に中和処理手段を配置した要部断面図
【図１０】従来の生ごみ処理機の本体断面図
【符号の説明】
２２  生ごみ収納部
２４  加熱手段
３０  脱臭手段
３３  排出口
３４  排出手段
３５  排気ファン
３７  排気経路
４３  ファンケース
４６  中和処理手段
【図１】
2005007263.tif 000003
【図２】
2005007263.tif 000004
【図３】
2005007263.tif 000005
【図４】
2005007263.tif 000006
【図５】
2005007263.tif 000007
【図６】
2005007263.tif 000008
【図７】
2005007263.tif 000009
【図８】
2005007263.tif 000010
【図９】
2005007263.tif 000011
【図１０】
2005007263.tif 000012